(57)【特許請求の範囲】
【請求項１】
座部又は脚部から立ち上がった支持部に対して肘掛け部が左右横移動及び左右角度調節可能な椅子の肘掛け装置であって、前記支持部の上端に傾動部材を上下傾動可能に取付け、該傾動部材の前後端に設けた水平な保持板にそれぞれスライダーを嵌着し、該スライダーを介して上部カバー部材の内部に取付板で横移動可能に取付け、前記上部カバー部材の前後中央部で内部の幅方向にガイド溝を設け、該ガイド溝に沿ってクリック部材を移動可能に嵌合するとともに、該クリック部材の下方に突設した回転軸を前記傾動部材の上面板の中心部に形成した円孔に回転可能に嵌合してなることを特徴とする椅子の肘掛け装置。
【請求項２】
前記上部カバー部材の内部下面には、多数の補強リブを縦横に格子状に形成し、各補強リブの端面は面一に設定し、該補強リブを取り囲むように高さの高い枠リブを形成し、中央部には幅方向に渡って補強リブが存在しない部分を形成し、該部分を前記ガイド溝となした請求項１記載の椅子の肘掛け装置。
【請求項３】
前記ガイド溝は幅方向に延びた補強リブで両側壁を形成し、上部カバー部材の幅方向の中心位置と、該中心から同距離離れた位置の側壁の一部に切欠部を形成し、前記クリック部材は、上側に前記ガイド溝に係合する長円部を形成し、下側に前記傾動部材の円孔に回転可能に係合する回転軸を形成し、上下中間部の前後部には長円部の一端部に連続して長円部の一側面に屈曲した弾性片をそれぞれ形成し、各弾性片の先端には前記側壁に圧接する半円柱状の摺動部を形成してなる請求項１又は２記載の椅子の肘掛け装置。
【発明の詳細な説明】
【０００１】
【発明の属する技術分野】
本発明は、椅子の肘掛け装置に係わり、更に詳しくは肘掛け部が左右横移動及び左右角度調節可能な椅子の肘掛け装置に関する。
【０００２】
【従来の技術】
従来、椅子の座部又は脚部から立ち上がった支持部に対して肘掛け部が上下角度調節可能なもの又は左右横移動及び左右角度調節可能なものは既に提供されている。そして、肘掛け部の左右横移動及び左右角度調機構としては、支持部の上端に固定した金属板等の支持部材を、肘掛け部の下面に形成した凹所内に位置させるとともに、前記支持部材の前後端部を押え部材で横移動可能に支持するとともに、前記支持部材の前後端部と肘掛け部の凹所内に形成した連続波形の係合部を操作ボタンで係脱して多段階に左右横移動又は左右角度調節可能となした構造のものがある。
【０００３】
しかし、従来の肘掛け部の左右横移動及び左右角度調機構は、それを操作するための操作ボタンが必要であり、従来はその操作ボタンを肘掛け部の側部前後中央部又は下面の前後部に設けているとともに、機構部が肘掛け部の下面に露出する部分が多く、外観性に劣るばかりでなく、操作性に課題が残っている。また、肘掛け部を上下角度調節可能な構造のものに、左右横移動及び左右角度調機構を組み合わせたものは存在しない。
【０００４】
従来の上下角度調節機構は、係合突起を係合凹部に対して係脱するための操作レバーを肘掛け部を構成するカバー部材に取付け、一方、前記係合突起を設けた作動部材を傾動部材に取付け、そして操作レバーと作動部材とを直接的又は間接的にリンク連結している構造とするか、又は前記操作レバーの遊端部に前記係合突起を一体的に形成し若しくは係合ピン等を係止した構造であるので、前記傾動部材に対して相対的に肘掛け部のカバー部材を横移動させたり、回転させたりすることは不可能であった。
【０００５】
【発明が解決しようとする課題】
本発明が前述の状況に鑑み、解決しようとするところは、座部又は脚部から立ち上がった支持部に対して肘掛け部が左右横移動及び左右角度調節可能な椅子の肘掛け装置において、操作レバーを設けずに肘掛け部を左右横移動、左右角度調節可能とするとともに、所定位置及び所定角度を安定に維持し、そして操作性に優れ、また外観性にも優れた椅子の肘掛け装置を提供する点にある。
【０００６】
【課題を解決するための手段】
本発明は、前述の課題解決のために、座部又は脚部から立ち上がった支持部に対して肘掛け部が左右横移動及び左右角度調節可能な椅子の肘掛け装置であって、前記支持部の上端に傾動部材を上下傾動可能に取付け、該傾動部材の前後端に設けた水平な保持板にそれぞれスライダーを嵌着し、該スライダーを介して上部カバー部材の内部に取付板で横移動可能に取付け、前記上部カバー部材の前後中央部で内部の幅方向にガイド溝を設け、該ガイド溝に沿ってクリック部材を移動可能に嵌合するとともに、該クリック部材の下方に突設した回転軸を前記傾動部材の上面板の中心部に形成した円孔に回転可能に嵌合してなる椅子の肘掛け装置を構成した。
【０００７】
具体的には、前記上部カバー部材の内部下面には、多数の補強リブを縦横に格子状に形成し、各補強リブの端面は面一に設定し、該補強リブを取り囲むように高さの高い枠リブを形成し、中央部には幅方向に渡って補強リブが存在しない部分を形成し、該部分を前記ガイド溝となしたものである。更に、前記ガイド溝は幅方向に延びた補強リブで両側壁を形成し、上部カバー部材の幅方向の中心位置と、該中心から同距離離れた位置の側壁の一部に切欠部を形成し、前記クリック部材は、上側に前記ガイド溝に係合する長円部を形成し、下側に前記傾動部材の円孔に回転可能に係合する回転軸を形成し、上下中間部の前後部には長円部の一端部に連続して長円部の一側面に屈曲した弾性片をそれぞれ形成し、各弾性片の先端には前記側壁に圧接する半円柱状の摺動部を形成してなることがより好ましい。
【０００８】
【発明の実施の形態】
次に本発明の実施形態を添付図面に基づき更に詳細に説明する。図１は本発明に係る椅子を示し、図２は肘掛け部を水平に設定した状態、図３は肘掛け部の前部を上方へ向けて傾斜させた状態、図４〜図１５は各部の詳細を示し、図中符号１は椅子の脚部、２は座部、３は背凭れ部、４は肘掛け装置、５は支持部、６は肘掛け部をそれぞれ示している。
【０００９】
本発明の実施形態に係る肘掛け装置４は、座部２又は脚部１から立ち上がった支持部５に対して肘掛け部６を高さ調節可能且つ上下角度調節可能及び左右横移動、左右角度調節可能に設けたものである。しかし、本発明に係る肘掛け装置４は、上下角度調節機構及び左右横移動、左右角度調節機構に特徴を有するので、肘掛け部６が高さ調節可能であるかどうかは本質的ではない。
【００１０】
前記支持部５は、支持アーム７と昇降体８とより構成し、座部２に固定した支持アーム７の上部に、肘掛け部６に取付けた上下に開放した中空筒状の昇降体８を上下移動可能に外嵌した構造を有する。そして、前記支持アーム７と昇降体８との間には、支持アーム７に対して昇降体８の高さを調節し且つその高さを維持するための高さ調節機構が設けられている。
【００１１】
そして、上下角度調節機構は、図２〜図５に示すように、前記支持部５の上端に傾動部材９を水平な支軸１０にて上下傾動可能に連結し、前記傾動部材９を肘掛け部６内に収容した状態で、該傾動部材９に対して肘掛け部６を横移動及び／又は回転可能に取付けるとともに、前記肘掛け部６の前部に操作レバー１１を上下傾動可能に取付けてその操作部１２を下面に露出させ、前記支持部５の上端部前面側に上下に複数の係合凹部１３，…を形成し、中央部を前記傾動部材９の前部に枢着した回動部材１４の前方へ延びた操作杆１５を前記操作レバー１１の上面に当接するとともに、前記回動部材１４の下方へ延びた作動杆１６の先端に係止した係合ピン１７を前記係合凹部１３に係合可能となし、更に前記回動部材１４を係合ピン１７が係合凹部１３に係合する回転方向に該回動部材１４と傾動部材９との間に設けた弾性体１８にて弾性付勢してなるものである。
【００１２】
更に詳しくは、前記傾動部材９は、金属板を折曲形成したものであり、上面板１９の両側縁に側面板２０，２０を垂下するとともに、上面板１９の前後端を延長して保持板２１，２１を形成したものであり、前記側面板２０の前部が下方へ拡がった形状となっている。そして、前記側面板２０，２０の後部には、前記支軸１０を挿通するための軸孔２２，２２を形成するとともに、側面板２０，２０の前部の上端には前記回動部材１４を回動可能に支持する軸ピン２３を挿通するための通孔２４，２４を形成するとともに、前部下端部には前記回動部材１４の回動に伴って前記係合ピン１７が移動する軌跡に沿って、つまり前記軸孔２２に向かった長孔２５，２５を形成し、該長孔２５，２５内に係合ピン１７の両端部をスライド可能に係合するのである。
【００１３】
前記肘掛け部６は、合成樹脂製で作成した上部カバー部材２６と下部カバー部材２７を接合し、内部を中空となしたものであり、前記上部カバー部材２６には、前記傾動部材９を横移動可能及び回転可能に取付けるとともに、下部カバー部材２７には、前記支持部５を受け入れる開口２８と前記操作レバー１１の操作部１２を露出させる操作孔２９を形成している。
【００１４】
前記操作レバー１１は、板状の基部に軸部３０，３０を形成するとともに、遊端側の下部に前記操作部１２を突設したものである。該操作レバー１１の横幅は、前記傾動部材９に対して前記カバー部材２６，２７が横移動又は回転変位しても、常に前記回動部材１４の操作杆１５の先端が該操作レバー１１の上面に当接するように充分に幅広く設定している。そして、前記軸部３０は、操作レバー１１の板面に対して直交方向に偏平な形状となっており、該軸部３０を枢支するために前記下部カバー部材２７に内方へ突設した軸受部３１は、後方側に軸部３０の偏平幅に相当する間隙を設け、内部に軸部３０を回転可能に受け入れる軸受孔３２を形成し、操作レバー１１を立起させた状態で、軸部３０を軸受孔３２に挿入し、その後操作部１２が操作孔２９内に挿入されるように倒して取付けるのである。この取付状態では、前記軸部３０が軸受孔３２から抜けることはないのである。
【００１５】
前記回動部材１４は、中央部に前記軸ピン２３を挿通するための軸筒３３を形成し、該軸筒３３から前方へ前記操作杆１５が延びて、該操作杆１５の先端部は前記操作レバー１１の上面と平行となっており、また軸筒３３から下方へ前記作動杆１６が延びて、該作動杆１６の先端は前記係合ピン１７を受け入れるＵ字状の係止部３４となっている。
【００１６】
前記係合凹部１３，…は、平面視略コ字形に形成した金属製のラック部材３５の両側片３６を形成し、該ラック部材３５を合成樹脂製のブロック体３７の前面上端部に嵌合し、筒状の前記昇降体８の上端部内にブロック体３７を嵌着することによって、該昇降体８の上端部にラック部材３５を固定し、もって支持部５の上端部前面側に上下に複数の係合凹部１３，…が形成されるのである。ここで、前記ブロック体３７の前面には上縁に下向きの係合爪３８を形成し、その下方に間隔を置いて水平な支持片３９を突設し、該支持片３９の上方側の前面に突部４０を形成してあり、そして前記ラック部材３５の基板４１の上縁を前記係合爪３８に係合するとともに、下縁を支持片３９に当接し且つ基板４１に形成した係合穴４２を突部４０に嵌合し、その状態でブロック体３７を昇降体８の上端部に嵌挿し、昇降体８の内面にラック部材３５の両側片３６，３６を当接させることよって、該ラック部材３５が完全に固定されるのである。
【００１７】
また、前記ブロック体３７には、内部に前記支持アーム７の上端部に設けた金属製の支持板４３を摺動可能に受け入れる摺動孔４４を上下貫通させて形成している。また、前記ブロック体３７を昇降体８に固定する構造は、昇降体８の内部に一体形成した垂直板４５に設けた係止孔４６にブロック体３７の前面下端部に設けた爪片４７を抜止め係合するとともに、ブロック体３７の後面上端部に突設した軸受部４８を前記昇降体８の上端後部に設けた一対の保持片４９，４９間に嵌合し且つ該保持片４９，４９に設けた軸孔５０，５０と軸受部４８に設けた軸孔５１とを共通孔として肘掛け部６を上下回動可能に枢支する支軸１０を挿通して連結するのである。
【００１８】
そして、肘掛け部６の上下角度を調節するには、前記操作レバー１１の操作部１２を上方へ押せば、該操作レバー１１が上方へ回転して前記回動部材１４の操作杆１５をその上面で押し上げ、該回動部材１４が弾性体１８の弾性付勢力に抗して回転し、もって作動杆１６の先端部に係止した係合ピン１７が傾動部材９の長孔２５，２５内を移動して係合凹部１３から離れ、この状態で肘掛け部６の前部を支軸１０を中心に上下に回転させることが可能となり、所定の角度に設定した後に前記操作部１２から指を離せば、弾性体１８の弾性付勢力によって係合ピン１７は対応する係合凹部１３に係合し、設定角度を維持するのである。
【００１９】
前記弾性体１８としては、前記回動部材１４の軸筒３３にコイル部を巻回し、両弾性脚を傾動部材９の上面板１９と操作杆１５とに係止したキックばねを用いた例を示したが、圧縮コイルばねや引張りコイルばねを用いることが可能である。ただし、前記傾動部材９に対して上部カバー部材２６及び下部カバー部材２７は相対的に変位するので、傾動部材９と共に変位する回動部材１４と該傾動部材９との間に弾性体１８を設けるべきである。
【００２０】
次に、肘掛け部６の左右横移動、左右角度調節機構を図２、図３、図５、図７〜図１１に基づいて説明する。この左右横移動、左右角度調節機構は、前記傾動部材９の前後端に設けた水平な保持板２１，２１にそれぞれスライダー５２，５２を嵌着し、該スライダー５２，５２を介して上部カバー部材２６の内部上面に取付板５３，５３で横移動可能に取付け、そして前記上部カバー部材２６の内部上面の幅方向にガイド溝５４を設け、該ガイド溝５４に沿ってクリック部材５５を移動可能に嵌合するとともに、該クリック部材５５の下方に突設した回転軸５６を前記傾動部材９の上面板１９の中心部に形成した円孔５７に回転可能に嵌合した構造である。即ち、前記肘掛け部６は、回転軸５６を中心として水平に角度を調節することができるとともに、前記クリック部材５５に対してガイド溝５４をスライド移動させることにより、肘掛け部６を左右横移動させることができるのである。
【００２１】
更に詳しくは、前記上部カバー部材２６の内部下面には、多数の補強リブ５８，…を縦横に格子状に形成し、各補強リブ５８の端面は面一に設定し、該補強リブ５８を取り囲むように高さの高い枠リブ５９を形成し、中央部には幅方向に渡って補強リブ５８が存在しない部分を形成し、該部分を前記ガイド溝５４となしている。そして、該ガイド溝５４は幅方向に延びた補強リブ５８，５８で両側壁５８Ａ，５８Ａが形成され、上部カバー部材２６の幅方向の中心位置と、該中心から同距離離れた位置の側壁５８Ａ，５８Ａの一部に切欠部６０，…を形成している。
【００２２】
前記クリック部材５５は、図９に示すように、外形が平面視略円形の合成樹脂製であり、上側に前記ガイド溝５４に係合する長円部６１を形成し、下側に前記傾動部材９の円孔５７に回転可能に係合する回転軸５６を形成し、上下中間部には長円部６１の一端部に連続し、１／４周した位置から長円部６１の一側面に屈曲した弾性片６２を形成し、長円部６１の他端部から同様に弾性片６２が延び、各弾性片６２，６２の先端には半円柱状の摺動部６３，６３を長円部６１と同一高さに形成している。更に、前記摺動部６３，６３に対応する長円部６１の両側面には該摺動部６３，６３を退避させる凹部６４，６４を形成している。そして、前記傾動部材９の上面板１９の円孔５７にクリック部材５５の回転軸５６を挿入した状態で、該クリック部材５５の長円部６１を前記上部カバー部材２６のガイド溝５４に弾性的に係合し、該傾動部材９の前後両端部のスライダー５２，５２を上部カバー部材２６の枠リブ５９にネジ止めした取付板５３，５３で移動可能に保持して取付けるのである。ここで、前記取付板５３は、前記枠リブ５９に取付ける固定部６５と、スライダー５２の上面に摺接する押え部６６と、固定部６５と押え部６６との間に垂直部６７を有し、該垂直部６７には前記スライダー５２を挿通する横長開口６８を形成している。前記取付板５３で、スライダー５２を保持した状態では、該スライダー５２は押え部６６と固定部６５とに互いに摺接し、その接触圧を確保するために、スライダー５２を前記保持板２１に嵌合する内部に低いリブ６９を複数形成している。
【００２３】
そして、前記クリック部材５５の長円部６１は、前記ガイド溝５４の両側壁５８Ａ，５８Ａ間に係合し、両摺動部６３，６３が側壁５８Ａ，５８Ａに弾性的に圧接される。図１１に示すように、前記肘掛け部６を左右横方向に移動させると、クリック部材５５がガイド溝５４に沿って相対的に移動し、ガイド溝５４の中央部とその両側部に切欠部６０，…に摺動部６３，６３が位置すると、その弾性力によってその位置に止まるが、強く肘掛け部６を移動させると、摺動部６３，６３が切欠部６０，６０から外れて移動するのである。つまり、肘掛け部６を支持部５に対して中央部と、左右の３ヵ所に横移動させて調節することが可能である。また、肘掛け部６を支持部５に対して中央部に位置させた状態では、前記回転軸５６を中心に左右に所定角度だけ回転させることができ、左右角度調節ができるのである。
【００２４】
ここで、前記上部カバー部材２６と下部カバー部材２７との接合構造について簡単に説明する。前記上部カバー部材２６の周縁にはその内側縁に沿って内側段部７０を形成し、前記下部カバー部材２７の周縁にはその外側縁に沿って外側段部７１を形成し、互いに内外に嵌合するようになっている。そして、上部カバー部材２６の前後一方の内側段部７０には内向きに突起７２を形成するとともに、下部カバー部材２７の対応する側の外側段部７１には前記突起７２を係合する連結孔７３を形成し、上部カバー部材２６の前後他方の内部には台座７４，７４を形成し、下部カバー部材２７の対応する側には取付孔７５，７５を形成し、前記突起７２を連結孔７３に係合するとともに、前記取付孔７５に下方から挿通したネジ７６を台座７４に螺合して互いに接合するのである。また、両部材とも合成樹脂製で成形したものであるので、両側面を押圧すると上部カバー部材２６は前記内側段部７０と外側段部７１の嵌合関係によって内向きの変形は抑制されるが、下部カバー部材２７は前記内側段部７０と外側段部７１の嵌合関係だけでは内向きの変形は抑制できない。そのため、前記上部カバー部材２６の周縁部であって、前記枠リブ５９から連続した規制爪７７，…を突設し、該規制爪７７で下部カバー部材２７の内向き変形を防止している。
【００２５】
このように、前記肘掛け部６は、支持部５に対して左右移動可能、左右角度調節可能となっているので、前記下部カバー部材２７に形成した開口２８の横幅は左右移動距離を考慮して広く設定されているとともに、上下角度調節可能となっているため、前記開口２８の前後幅は若干余裕をもって広く設定している。そのため、前記肘掛け部６の前部を高くして上向き傾斜させた場合、保護カバー７８がなければ、図３に示すように前記傾動部材９等の金具や支軸１０の周囲部が露出し、この露出部分に指を挟む恐れがあるので、前記傾動部材９には、図５、図６、図１２及び図１３に示すように、保護カバー７８を設けて指詰めを防止している。尚、前記支持部５に対して肘掛け部６を左右に移動させた場合に、保護カバー７８と開口２８の口縁との間に指が挟まれないように、また指を挟まれても大きな怪我をしないように最低６ｍｍの隙間を形成している。
【００２６】
前記保護カバー７８は、前記下部カバー部材２７の開口２８内に位置し、前記傾動部材９に外嵌して取付ける。この保護カバー７８の外形は、上方広がりの形状を有し、中央部に前記支持部５を受け入れる開口部７９を形成し、前端には内向きに突片８０を設け、前記傾動部材９の両側面板２０，２０の前端に形成した凹部８１，８１に係合するとともに、両側板８２，８２の後部内面に形成した係止爪８３，８３を、前記傾動部材９の側面板２０，２０の後部に形成した係合孔８４，８４に抜止め係合して取付けるのである。また、保護カバー７８の前後部には、前記回動部材１４の動作を逃がすためと、傾動部材９の両側面板２０，２０を逃がすための切欠開口８５を形成している。また、両側板８２，８２の内面には、前記昇降体８の上端部に弾力的に嵌合するように縦方向のリブ８６，…を形成している。尚、前記保護カバー７８の形状は、前記傾動部材９の形状に応じて決定されるべきであり、特にその形状は限定されるものではない。
【００２７】
また、前記肘掛け部６の左右横移動、左右角度調節機構の他の例として、図１４に示したものは、前記傾動部材９の上面板１９の中央部に軸部８７を突設し、該軸部８７を中央部と、その左右両側部で弾性係合するＣ字形の係合部８８，８８をその開放部を対面させて上部カバー部材２６の下面に突設したものである。この場合、両係合部８８，８８の間に軸部８７が係合した場合には、肘掛け部６は左右角度調節可能であり、また軸部８７を一方の係合部８８に嵌入すれば左右横移動することになる。
【００２８】
また、本実施形態に係る肘掛け部６は、左右横移動可能となしたので、必然的に横幅を広くなり、下面に設けた操作レバー１１の操作部１２を操作し難くなるが、操作性を向上させるために、前記下部カバー部材２７の左右両側下面に傾斜面２７Ａ，２７Ａを形成して、指の操作部１２への回り込みを良くしている。
【００２９】
最後に、高さ調節機構を図２〜図４に基づいて簡単に説明する。高さ調節機構は、前記支持アーム７の上端部に延設した支持板４３の中央部に沿って縦孔８９を形成し且つ該縦孔８９の前縁に一定間隔毎に係合凹部９０，…を形成し、前記昇降体８の前部であって前記支持板４３に対応する位置に開口９１を形成するとともに、該開口９１に臨んだ内部に前後に延びたガイド部９２を形成し、該ガイド部９２内に前記係合凹部９０又は縦孔８９に貫通した係合ピン９３の両端部を前後から抱持する一対の作動部材９４，９５を前後スライド可能に設けるとともに、内方の作動部材９５と昇降体８の内壁９６間に圧縮コイルばねからなる弾性体９７を配して前方へ弾性付勢し、前記開口９１内に前後回動可能に上下一端部を枢着した操作レバー９８の遊端部に一体形成した弾性片９９を前記外側の作動部材９４に当接してなるものである。
【００３０】
そして、前記肘掛け部６の高さを調節する場合には、前記操作レバー９８の下部を開口９１内に押し込めば、前記弾性体９７の弾性付勢力に抗して更に係合ピン９３が押し込まれ、前記縦孔８９の位置に達すると、肘掛け部６を持ってその高さを調節することが可能となる。肘掛け部６を持って上下に移動させて所定の高さになると、操作レバー９８から指を離せば、弾性体９７の前方への弾性付勢力によって係合ピン９３が何れかの係合凹部９０に係合し、設定高さを維持するのである。
【００３１】
【発明の効果】
以上にしてなる本発明の椅子の肘掛け装置は、座部又は脚部から立ち上がった支持部に対して肘掛け部が左右横移動及び左右角度調節可能な椅子の肘掛け装置において、操作レバーを設けずに肘掛け部を左右横移動、左右角度調節可能とすることができるとともに、肘掛け部を所定位置及び所定角度に安定に維持することができ、しかも操作時のクリック感も呈し、更に操作性に優れ、また外観性にも優れたものである。
【図面の簡単な説明】
【図１】本発明の肘掛け装置を適用した椅子の側面図である。
【図２】同じく肘掛け部を水平状態に設定した場合の縦断面図である。
【図３】同じく肘掛け部を傾斜状態に設定した場合の縦断面図である。
【図４】支持部と肘掛け部を枢着する構造を示す分解斜視図である。
【図５】本発明る要部を示す分解斜視図である。
【図６】傾動部材と保護カバーの関係を示す分解斜視図である。
【図７】肘掛け部のカバー部材の構造を示す分解断面図である。
【図８】上部カバー部材の斜視図である。
【図９】クリック部材を示し、(a) は平面図、(b) は側面図である。
【図１０】クリック部材を装着した状態の部分断面図である。
【図１１】左右横移動、左右角度調節機構を示す簡略断面図である。
【図１２】保護カバーを取付けた状態を示す省略側面図である。
【図１３】同じく省略底面図である。
【図１４】左右横移動、左右角度調節機構の他の例を示す省略断面図である。
【図１５】肘掛け部に手を掛けて操作レバーの操作状態を示した簡略説明図である。
【符号の説明】
１  脚部                  ２  座部
３  背凭れ部              ４  肘掛け装置
５  支持部                ６  肘掛け部
７  支持アーム            ８  昇降体
９  傾動部材              １０  支軸
１１  操作レバー          １２  操作部
１３  係合凹部            １４  回動部材
１５  操作杆              １６  作動杆
１７  係合ピン            １８  弾性体
１９  上面板              ２０  側面板
２１  保持板              ２２  軸孔
２３  軸ピン              ２４  通孔
２５  長孔                ２６  上部カバー部材
２７  下部カバー部材      ２８  開口
２９  操作孔              ３０  軸部
３１  軸受部              ３２  軸受孔
３３  軸筒                ３４  係止部
３５  ラック部材          ３６  側片
３７  ブロック体          ３８  係合爪
３９  支持片              ４０  突部
４１  基板                ４２  係合穴
４３  支持板              ４４  摺動孔
４５  垂直板              ４６  係止孔
４７  爪片                ４８  軸受部
４９  保持片              ５０  軸孔
５１  軸孔                ５２  スライダー
５３  取付板              ５４  ガイド溝
５５  クリック部材        ５６  回転軸
５７  円孔                ５８  補強リブ
５９  枠リブ              ６０  切欠部
６１  長円部              ６２  弾性片
６３  摺動部              ６４  凹部
６５  固定部              ６６  押え部
６７  垂直部              ６８  横長開口
６９  リブ                ７０  内側段部
７１  外側段部            ７２  突起
７３  連結孔              ７４  台座
７５  取付孔              ７６  ネジ
７７  規制爪              ７８  保護カバー
７９  開口部              ８０  突片
８１  凹部                ８２  側板
８３  係止爪              ８４  係合孔
８５  切欠開口            ８６  リブ
８７  軸部                ８８  係合部
８９  縦孔                ９０  係合凹部
９１  開口                ９２  ガイド部
９３  係合ピン            ９４  作動部材
９５  作動部材            ９６  内壁
９７  弾性体              ９８  操作レバー
９９  弾性片
【図１】
0003675145.tif 000002
【図２】
0003675145.tif 000003
【図３】
0003675145.tif 000004
【図４】
0003675145.tif 000005
【図５】
0003675145.tif 000006
【図６】
0003675145.tif 000007
【図７】
0003675145.tif 000008
【図８】
0003675145.tif 000009
【図９】
0003675145.tif 000010
【図１０】
0003675145.tif 000011
【図１１】
0003675145.tif 000012
【図１２】
0003675145.tif 000013
【図１３】
0003675145.tif 000014
【図１４】
0003675145.tif 000015
【図１５】
0003675145.tif 000016